(57)【要約】【課題】  通話機能を利用するには不適切な場所（公共の場でのマナーを守るべき場所）においても、携帯端末装置が有する他の機能を支障なく利用することが可能となる多機能携帯端末装置を提供する。【解決手段】  通話などの通信機能と音楽の再生など通信機能以外の機能、すなわち多機能を有する多機能携帯端末装置において、状況に応じて、前記通信機能以外の機能を利用するさいに前記通信機能をオフすることができる主制御部１を有する。【選択図】  図１
2005269092.tif 000002
【特許請求の範囲】
【請求項１】
通信機能と通信機能以外の機能を有する多機能携帯端末装置において、前記通信機能以外の機能を利用する際に前記通信機能をオフ可能とする主制御部を有することを特徴とする多機能携帯端末装置。
【請求項２】
前記主制御部は、前記通信機能以外の機能を利用する場合に、自動的に通信機能をオフとすることを特徴とする請求項１記載の多機能携帯端末装置。
【請求項３】
前記主制御部は、前記通信機能がオフされている状態で、前記通信機能以外の機能をオフした場合に、自動的に前記通話機能をオンすることを特徴とする請求項１記載の多機能携帯端末装置。
【請求項４】
前記主制御部は、前記通信機能以外の機能を利用している最中に、バッテリ残量が不足してきた場合には、自動的に前記通信機能をオフとすることを特徴とする請求項１記載の多機能携帯端末装置。
【請求項５】
前記主制御部は、バッテリ残量が不足した状態で、前記通信機能以外の機能をオンしている場合には、その機能をオフして、自動的に前記通信機能以外の機能を利用できなくすることを特徴とする請求項１記載の多機能携帯端末装置。
【請求項６】
前記主制御部は、前記通信機能がオフされている状態において、発信などの所定の操作が実施された場合には、前記通信機能をオンすることを特徴とする請求項１記載の多機能携帯端末装置。
【請求項７】
前記主制御部は、前記通信機能がオフされている状態において、発信に関わる以外の所定の操作によって、前記通信機能をオンすることを特徴とする請求項１記載の多機能携帯端末装置。
【請求項８】
前記主制御部は、前記通信機能がオフされている状態において、オフされてからの所定の時間または、予め設定された所定の時刻を経過した場合に、通信機能をオンすることを特徴とする請求項１記載の多機能携帯端末装置。
【発明の詳細な説明】
【技術分野】
【０００１】
本発明は、通話以外の機能、例えば音楽再生機能を有する多機能携帯端末装置に関する。
【背景技術】
【０００２】
近年、携帯電話端末装置のマルチファンクション化が進み、さまざまな機能が端末装置に組み込まれつつある（例えば、特許文献１参照）。
その機能の１つとしてＭＰ３（MPEG Audio Layer-3）方式などの音楽再生機能が挙げられるが、電話機能との両立がし難いことも想定される。
すなわち、一般的に携帯端末装置は、その電波の送受信がペースメーカーなどに及ぼす影響が懸念されるため、人混みや電車の車内などでは電源を切るのがマナーとされているが、一方でＭＰ３方式などの音楽再生機能も実行できない。
【特許文献１】特開平１１−０１７７８７号公報
【発明の開示】
【発明が解決しようとする課題】
【０００３】
しかし、電話機能が実行できなくても、例えば音楽再生機能を別に実行することができれば、電車の車内での退屈な時間を過ごす場合にも、機能を非常に有効に発揮することになる。
このため、通話機能を利用しない場合でも他の機能を支障なく利用できれば多機能形態電話端末装置として利用価値が向上する。
本発明の第１の目的は、上記の問題に鑑み、通話機能を利用するには不適切な場所（公共の場でのマナーを守るべき場所）においても、携帯端末装置が有する他の機能を支障なく利用することが可能となる多機能携帯端末装置を提供することにある。
本発明の第２の目的は、通話以外の機能を利用しているときには通話の意思がないユーザにおいて、容易な操作で通話機能をオフすることで、端末装置のバッテリ寿命を延ばし、端末装置利便性を高めることができる多機能携帯端末装置を提供することにある。
【課題を解決するための手段】
【０００４】
上記目的を達成するために、請求項１記載の発明は、通信機能と通信機能以外の機能を有する多機能携帯端末装置において、前記通信機能以外の機能を利用する際に前記通信機能をオフ可能とする主制御部を有する多機能携帯端末装置を特徴とする。
また、請求項２記載の発明は、前記通信機能以外の機能を利用する場合に、自動的に通信機能がオフとなる請求項１記載の多機能携帯端末装置を特徴とする。
また、請求項３記載の発明は、前記通信機能がオフされている状態で、前記通信機能以外の機能をオフした場合に、自動的に前記通話機能をオンする請求項１記載の多機能携帯端末装置を特徴とする。
また、請求項４記載の発明は、前記通信機能以外の機能を利用している最中に、バッテリ残量が不足してきた場合には、自動的に前記通信機能がオフとなる請求項１記載の多機能携帯端末装置を特徴とする。
また、請求項５記載の発明は、バッテリ残量が不足した状態で、前記通信機能以外の機能をオンしている場合には、その機能をオフして、自動的に前記通信機能以外の機能を利用できなくする請求項１記載の多機能携帯端末装置を特徴とする。
また、請求項６記載の発明は、前記通信機能がオフされている状態において、発信などの所定の操作が実施された場合には、前記通信機能をオンする請求項１記載の多機能携帯端末装置を特徴とする。
また、請求項７記載の発明は、前記通信機能がオフされている状態において、発信に関わる以外の所定の操作によって、前記通信機能をオンする請求項１記載の多機能携帯端末装置を特徴とする。
また、請求項８記載の発明は、前記通信機能がオフされている状態において、オフされてからの所定の時間または、予め設定された所定の時刻を経過した場合に、通信機能をオンする請求項１記載の多機能携帯端末装置を特徴とする。
【発明の効果】
【０００５】
本発明によれば、通信機能のみをオフ（ＯＦＦ）することができるので、携帯電話の利用が制限されるエリアなどでも、端末装置が有する通信以外の機能を利用することが可能となり、多機能携帯端末装置の利便性が向上する。
また、本発明によれば、通話以外の機能を利用する場合に、着信を望まないユーザにおいて、通話以外の機能を利用すると同時に通話機能をオフすることで、バッテリの負担を軽減し、端末装置の操作性を損なうことなく利便性を向上させることが可能となる。
【発明を実施するための最良の形態】
【０００６】
以下、図面に基づいて本発明の実施形態を詳細に説明する。図１は本発明による多機能携帯端末装置の第１実施形態の構成を示すブロック図である。図１において、本実施形態の携帯端末装置は、端末装置全体の制御や時間計測を行う主制御部１を備えている。
携帯端末装置は、また、発信／着信の制御を行う通信制御部２と、送話／受話のマイク・スピーカーを備えた通話部３と、発信やその他のマルチファンクションのための操作部４と、着信検出時に着信音や振動を生成する着信通知部５と、基地局と電波の送受信を行うエアＩ／Ｆ部６を備えている。
携帯端末装置は、さらに、端末装置の操作や動画撮影時の確認などに利用される表示部７と、ＭＰ３などの音楽データを音声に再生する音楽再生部８と、再生された音楽を出力するヘッドホン９と、ＭＰ３などの音楽データを保存する記憶部１０を備えて構成される。
【０００７】
図２は本実施形態による多機能携帯端末装置の動作フローを説明するフローチャートである。図２において、ユーザの操作部４の操作により、通信機能のオフ（ＯＦＦ）が要求されると（Ｓ１）、主制御部１は通信機能をオフし、主制御部１のタイマをスタートする（Ｓ２）。
多機能携帯端末装置において、通信機能のみをオフすることができるので、携帯電話の利用が制限されるエリアなどでも、端末装置が有する通信以外の機能を利用することが可能となり、端末装置の利便性が向上する。
これは、通信機能のみに利用される回路（電波の送受信回路および発着信や通話に使用される回路）を、通信機能以外の回路と独立して制御（あるいは電源回路を独立させる）する機能と、通信機能のみに利用される回路をオフする手段を有することで実現できる。
ここでいう通信機能のオフ（ＯＦＦ）とは、エアＩ／Ｆ部６や通信制御部２、通話部３などの通信機能にしか利用されないブロックの動作を停止させ、あるいは電源の供給を停止して、一切の通信を不可能にすることを指す。これは「電波の送受信を停止する」ことが実現できるのであれば、その手段は問わない。
通信機能オフ状態において、主制御部１が発信のための操作を検出した場合には（Ｓ３）、通信機能をオン（ＯＮ）する（Ｓ７）。また、通信機能をオフする必要がなくなったと判断できる、発信操作以外の所定の操作（たとえば、充電器のセット）を主制御部１が検出した場合（Ｓ４）、通信機能をオンする（Ｓ７）。
通信機能がオフされた場合、発信のためには、まず通信機能をオンする操作が必要となるため、端末装置の操作性が悪くなる。しかし、通信機能がオフの状態でも、通常の発信操作をすることで通信機能がオンされるため、携帯端末装置の電話としての利便性を損なうことがない。
これは、発信のための操作を検出する検出手段と、発信のための操作を検出した場合に通信機能をオンする機能を有することで実現できる。
【０００８】
通信機能オフ状態において、ステップ（Ｓ２）で起動したタイマによって、主制御部１が通信機能オフから所定の時間が経過したことを検出した場合（Ｓ５）、または予め設定されている時刻を経過したことを検出した場合（Ｓ６）、通信機能をオンする（Ｓ７）。
通信機能がオフされた場合、そのことを忘れてしまうと以降着信することもできなくなり、携帯電話としての利便性を損なう。通信機能がオフの状態でも、何らかの発信以外の操作をすることで通信機能がオンされるため、通信機能をオフしたことを忘れて着信を待ってしまうなどの不具合を回避でき、携帯端末装置の電話としての利便性を損なうことがない。
ここでいう「発信以外の所定の操作」とは、例えば、シェルのオープン、アンテナを出す、充電器を接続するなどが挙げられる。この不具合の回避は、発信以外の所定の操作を検出する検出手段と、これらの操作を検出した場合に通信機能をオンする機能を有することで実現できる。
通信機能がオフされた場合、そのことを忘れてしまうと以降着信することもできなくなり、携帯電話としての利便性を損なう。これを防止するために、通信機能がオフの状態でも、時間が経過することで通信機能がオンされるため、通信機能をオフしたことを忘れて着信を待ってしまうなどの不具合を回避でき、携帯端末装置の電話としての利便性を損なうことがない。
これは、時刻や時間の経過を計測する機能と、予め時刻あるいは経過時間を設定しておく手段と、設定された時刻または経過時間を検出する手段と、これらを検出した場合に通信機能をオンする機能を有することで実現できる。
【０００９】
図３は本発明による多機能携帯端末装置の第２実施形態の構成を示すブロック図である。図３において、構成例は、通話以外の機能の例として、音楽再生機能を有しているものを挙げる。
本実施形態の携帯端末装置は、端末装置の制御や電源の状態監視と各部の制御を行う主制御部１、発信／着信の制御を行う通信制御部２と、送話／受話のマイク・スピーカーを備えた通話部３と、発信やその他のマルチファンクションのための操作部４と、着信検出時に着信音や振動を生成する着信通知部５とを備えている。
本実施形態の多機能携帯端末装置は、また、基地局と電波の送受信を行うエアＩ／Ｆ部６と、端末装置の操作や動画撮影時の確認などに利用される表示部７と、ＭＰ３などの音楽データを音声に再生する音楽再生部８とを備えている。
本実施形態の携帯端末装置は、さらに、再生された音楽を出力するヘッドホン９と、ＭＰ３などの音楽データを保存する記憶部１０と、主制御部１の制御により、音楽再生部８と、通信制御部２、着信通知部５等へのそれぞれの給電をオン／オフできる電源部１１とを備えて構成される。
図４は本実施形態による多機能携帯端末装置の音楽再生操作の動作フローを示すフローチャートである。ユーザにより操作部４から音楽再生操作がなされると（Ｓ１１）、主制御部１は電源部１１に通信制御部２の電源をオフさせる。次いで、音楽再生部８にて音楽再生処理を開始する（Ｓ１２）。音楽再生が終了すると（Ｓ１３）、主制御部１は電源部１１に通信制御部２の電源をオンさせ（Ｓ１４）、終了する。
【００１０】
図５は本発明による多機能携帯端末装置のバッテリ残量チェックの動作フローを示すフローチャートである。ユーザにより操作部４から音楽再生操作がなされると、音楽再生部８にて音楽再生処理を開始する（Ｓ１５）。
音楽再生中に、主制御部１がバッテリ残量のチェックを行い、残量が規定値以下となったことを検出した場合（Ｓ１６）、電源部１１に通信制御部２の電源をオフさせ（Ｓ１７）、音楽の再生を継続する。その後、音楽再生が終了すると（Ｓ１８）、主制御部１は、電源部１１に通信制御部２の電源をオンさせ（Ｓ１９）、終了する。
図６は本発明による多機能携帯端末装置のバッテリ残量チェックの他の動作フローを示すフローチャートである。ユーザにより操作部４から音楽再生操作がなされると（Ｓ２０）、主制御部１はまずバッテリ残量のチェックを行い（Ｓ２１）、バッテリ残量が不足していれば音楽再生処理を実行せずに終了する。
一方、バッテリ残量に余裕がある場合には、主制御部１は音楽再生部８にて音楽の再生処理を開始する（Ｓ２２）。音楽再生中にも、主制御部１は継続してバッテリ残量のチェックを行い、残量が規定値以下となったことを検出した場合には（Ｓ２３）、音楽の再生を終了させ（Ｓ２４）、処理を終了する。
【図面の簡単な説明】
【００１１】
【図１】本発明による多機能携帯端末装置の第１実施形態の構成を示すブロック図。
【図２】本発明による多機能携帯端末装置の動作フローを説明するフローチャート。
【図３】本発明による多機能携帯端末装置の第２実施形態の構成を示すブロック図。
【図４】本発明による多機能携帯端末装置の音楽再生操作の動作フローを示すフローチャート。
【図５】本発明による多機能携帯端末装置のバッテリ残量チェックの動作フローを示すフローチャート。
【図６】本発明による多機能携帯端末装置のバッテリ残量チェックの他の動作フローを示すフローチャート。
【符号の説明】
【００１２】
１  主制御部
２  通信制御部
３  通話部（通信機能）
４  操作部
５  着信通知部
６  エアＩ／Ｆ部
７  表示部
８  音楽再生部（通話以外の機能）
９  ヘッドホン
１０  記憶部
１１  電源部
【図１】
2005269092.tif 000003
【図２】
2005269092.tif 000004
【図３】
2005269092.tif 000005
【図４】
2005269092.tif 000006
【図５】
2005269092.tif 000007
【図６】
2005269092.tif 000008